(57)【要約】【課題】複数で連携して表示するための設定が容易な表示システムを提供する。【解決手段】プロジェクター１００Ａと、投写板２１０Ａと、を備え、プロジェクター１００Ａから投写板２１０Ａに画像を投写して表示する表示システム５Ａは、他の表示システム５Ｂの接近を検出する接近検出部２２と、接近検出部２２が他の表示システム５Ｂの接近を検出した場合、投写板２１０Ａ、または他の表示システム５Ｂの投写板２１０Ｂの何れか一方に表示されている画像を他方に表示させる制御部と、を備える。【選択図】図２
2015060086.tif 000002
【特許請求の範囲】
【請求項１】
投写装置と、被投写部材と、を備え、前記投写装置から前記被投写部材に画像を投写して表示する表示システムであって、
他の前記表示システムの接近を検出する接近検出部と、
前記接近検出部が他の前記表示システムの接近を検出した場合、前記被投写部材、または他の前記表示システムの前記被投写部材の何れか一方に表示されている前記画像を他方に表示させる制御部と、を備えることを特徴とする表示システム。
【請求項２】
請求項１に記載の表示システムにおいて、
前記画像を他の前記表示システムと無線通信により送受信する通信部を備えることを特徴とする表示システム。
【請求項３】
請求項２に記載の表示システムにおいて、
前記制御部は、前記被投写部材に表示されている前記画像を他の前記表示システムに送信するマスターモード、および、他の前記表示システムから送信される前記画像を受信し、受信した前記画像を前記投写装置に投写させるスレーブモード、の何れかの処理を実行することを特徴とする表示システム。
【請求項４】
請求項３に記載の表示システムにおいて、
前記制御部は、前記被投写部材と、他の前記表示システムの前記被投写部材とが接触した場合、前記マスターモードおよび前記スレーブモードの何れかの処理を実行することを特徴とする表示システム。
【請求項５】
画像を表示する表示手段を備えた画像表示装置であって、
他の前記画像表示装置の接近を検出する接近検出部と、
前記接近検出部が他の前記画像表示装置の接近を検出した場合、前記表示手段、または他の前記画像表示装置の前記表示手段の何れか一方が表示している前記画像を他方に表示させる制御部と、を備えることを特徴とする画像表示装置。
【請求項６】
投写装置と、被投写部材と、を備え、前記投写装置から前記被投写部材に画像を投写して表示する表示システムの制御方法であって、
他の前記表示システムの接近を検出する接近検出ステップと、
前記接近検出ステップで他の前記表示システムの接近を検出した場合、前記被投写部材、または他の前記表示システムの前記被投写部材の何れか一方に表示されている前記画像を他方に表示させる複写ステップと、を備えることを特徴とする表示システムの制御方法。
【発明の詳細な説明】
【技術分野】
【０００１】
本発明は、画像を表示する表示システム、画像表示装置および表示システムの制御方法に関する。
【背景技術】
【０００２】
近年、下記特許文献１に示すように、プロジェクターとスクリーンとを一体的に備えた表示システムを、例えば、店舗内のフロアーに複数並べて画像を表示し、店舗において催し物の案内や広告する形態が広く用いられている。
このような表示システムでは、超短焦点な投写光学系を採用してスクリーンの真下から投写しても良好な投写画像が得られることに加え、スクリーンを含めても省スペースで大画面の投写が可能なプロジェクターが採用され、それぞれのプロジェクターが連携してコンテンツを投写することで、通行客が注目することで集客させる効果を奏している。
【先行技術文献】
【特許文献】
【０００３】
【特許文献１】特開２００９−２８８８０３号公報
【発明の概要】
【発明が解決しようとする課題】
【０００４】
しかしながら、複数のプロジェクターを連携して表示させるための設定は煩雑であり、表示するコンテンツを変更する都度、複数の表示システムを並べ変え、連携して表示するべく表示システムの設定を変更する必要があり、多くの手間とコストを要した。
本発明は、上述の課題に鑑みてなされたものであり、複数で連携して表示するための設定が容易な表示システムを提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる表示システムは、投写装置と、被投写部材と、を備え、前記投写装置から前記被投写部材に画像を投写して表示する表示システムであって、他の前記表示システムの接近を検出する接近検出部と、前記接近検出部が他の前記表示システムの接近を検出した場合、前記被投写部材、または他の前記表示システムの前記被投写部材の何れか一方に表示されている前記画像を他方に表示させる制御部と、を備えることを特徴とする。
【０００７】
このような構成によれば、他の表示システムが接近した場合、被投写部材、または他の表示システムの被投写部材の何れか一方に表示されている画像が他方に表示される。従って、複数の表示システムを容易に連携させ、画像を複写または移動して複数の被投写部材に表示させることができる。
【０００８】
［適用例２］
上記適用例にかかる表示システムにおいて、前記画像を他の前記表示システムと無線通信により送受信する通信部を備えることが好ましい。
【０００９】
このような構成によれば、表示システムの画像を無線により他の表示システムに転送できる。
【００１０】
［適用例３］
上記適用例にかかる表示システムにおいて、前記制御部は、前記被投写部材に表示されている前記画像を他の前記表示システムに送信するマスターモード、および、他の前記表示システムから送信される前記画像を受信し、受信した前記画像を前記投写装置に投写させるスレーブモード、の何れかの処理を実行することが好ましい。
【００１１】
このような構成によれば、１つの表示システムがマスターモードおよびスレーブモードの何れの処理も実行できるため、複数の表示システムによる連携を柔軟に構築できる。
【００１２】
［適用例４］
上記適用例にかかる表示システムにおいて、前記制御部は、前記被投写部材と、他の前記表示システムの前記被投写部材とが接触した場合、前記マスターモードおよび前記スレーブモードの何れかの処理を実行することが好ましい。
【００１３】
このような構成によれば、複数の表示システムにおける被投写部材同士の接触を契機としてマスターモードおよびスレーブモードの何れかの処理を実行させることができる。
【００１４】
［適用例５］
本適用例にかかる画像表示装置は、画像を表示する表示手段を備えた画像表示装置であって、他の前記画像表示装置の接近を検出する接近検出部と、前記接近検出部が他の前記画像表示装置の接近を検出した場合、前記表示手段、または他の前記画像表示装置の前記表示手段の何れか一方が表示している前記画像を他方に表示させる制御部と、を備えることを特徴とする。
【００１５】
このような構成によれば、他の表示システムが接近した場合、表示手段、または他の表示システムの表示手段の何れか一方に表示されている画像が他方に表示される。従って、複数の表示システムを容易に連携させ、画像を複写または移動して複数の表示手段に表示させることができる。
【００１６】
［適用例６］
本適用例にかかる表示システムの制御方法は、投写装置と、被投写部材と、を備え、前記投写装置から前記被投写部材に画像を投写して表示する表示システムの制御方法であって、他の前記表示システムの接近を検出する接近検出ステップと、前記接近検出ステップで他の前記表示システムの接近を検出した場合、前記被投写部材、または他の前記表示システムの前記被投写部材の何れか一方に表示されている前記画像を他方に表示させる複写ステップと、を備えることを特徴とする。
【００１７】
このような方法によれば、他の表示システムが接近した場合、被投写部材、または他の表示システムの被投写部材の何れか一方に表示されている画像が他方に表示される。従って、複数の表示システムを容易に連携させ、画像を複写または移動して複数の被投写部材に表示させることができる。
【図面の簡単な説明】
【００１８】
【図１】本発明の実施形態１に係る表示システムの外観図。
【図２】本発明の実施形態１におけるプロジェクターの機能構成を示すブロック図。
【図３】本発明の実施形態１における投写部の光学系を模式的に示す図。
【図４】本発明の実施形態１における表示システムの処理の流れを示すフローチャート。
【図５】本発明の実施形態１において分割表示モードが指示されたマスター処理とスレーブ処理の流れを説明するフローチャート。
【図６】本発明の実施形態１における表示システムの位置関係を示す図。
【図７】本発明の実施形態２において複写表示モードが指示されたマスター処理とスレーブ処理の流れを説明するフローチャート。
【図８】本発明の実施形態２における表示システムの位置関係を示す図。
【図９】本発明の実施形態３においてマスター処理とスレーブ処理の流れを説明するフローチャート。
【発明を実施するための形態】
【００１９】
以下、本発明の実施形態について図面を参照して説明する。
【００２０】
（実施形態１）
図１は、表示システム５の外観図である。この表示システム５は、投写装置としてのプロジェクター１００と、ホワイトボード２００とが、保持機構である支持具３００を介して一体化された態様である。ホワイトボード２００の上部には支持具３００が取り付けられ、支持具３００がプロジェクター１００を吊り下げるように保持している。
プロジェクター１００は、投写される光束を反射ミラーにより広角化して投写する機能を備え、被投写部材であるホワイトボード２００の投写板２１０の一方の面に投写画像Ｐを拡大投写する。尚、本実施形態１では、プロジェクター１００が投写板２１０の上部から投写する態様を想定するが、これには限定されない。例えば、プロジェクター１００が投写板２１０の下部に固定され、下部から投写する態様も想定できる。また、投写板２１０に透過スクリーンを用いれば、プロジェクター１００は背面側から投写する態様も想定できる。
また、表示システム５を画像表示装置とし、プロジェクター１００および投写板２１０を表示手段としても良い。
【００２１】
投写板２１０は、正面視、左右方向よりも上下方向に長い長方形状であり、プロジェクター１００は、投写板２１０から上下左右方向に所定量の空白域を設けて投写するように設定されている。
また、ホワイトボード２００は脚部２２０に支持され、脚部２２０の底面にはキャスター２４０が設けられている。従って、ユーザーは表示システム５を任意の方向に移動させることができる。
また、投写板２１０の底部には、表示システム５を操作するための操作部２３０が設けられ、ユーザーは操作部２３０を操作することで、所望の画像を投写板２１０に拡大や縮小して投写させることができる。
【００２２】
また、複数の表示システム５を連携させて、それぞれの投写板２１０が横一列に並ぶように配置することで、複数の投写板２１０により１つの投写領域を形成させ、形成させた投写領域に各表示システム５が分割画像を投写して１つ画像を表示させることができる（図６参照）。
図２は、プロジェクター１００の機能構成を示すブロック図である。図２では、２台の表示システム５Ａ，５Ｂを例示して説明する。尚、表示システム５Ａ，５Ｂのプロジェクター１００Ａ，１００Ｂは同一の構成であるため、以降は、代表して表示システム５Ａのプロジェクター１００Ａについて説明する。
プロジェクター１００Ａは、画像入力部１０、モード判定部２０、接近検出部２２、位置検出部２４、投写画像生成部３０、画像処理部４０、撮像部４５および投写部５０を備える。尚、モード判定部２０、投写画像生成部３０および画像処理部４０は、制御部に相当する。
【００２３】
画像入力部１０は、投写部５０で投写するための画像データが所定のファイル形式で入力される。この画像入力部１０は、ボード画像取得部１２、記憶素子読み取り部１３、ネットワーク通信部１４および近距離通信部１５を備える。
ボード画像取得部１２は、撮像部４５が撮影した画像データを取得する。尚、撮像部４５はデジタルカメラを想定し、投写板２１０Ａに投写された投写画像Ｐや、ユーザーがペンで投写板２１０Ａに書き込んだ内容を撮影し、撮影した画像データはボード画像取得部１２に取得されるように構成されている。デジタルカメラは、インタラクティブ機能としてプロジェクター１００Ａが備える態様でも良く、プロジェクター１００Ａとは別体の態様でも良い。
記憶素子読み取り部１３は、メモリーカード１６等に記憶された画像データを読み取ることができる。
【００２４】
ネットワーク通信部１４は、例えば、無線ＬＡＮによる通信を想定し、所定のアクセスポイントを経由してネットワーク１７に接続され、ネットワーク１７に接続されたサーバー１８と情報のやり取りができる。
近距離通信部１５は、例えば、Bluetooth（登録商標）やWiFi Direct（登録商標）による通信を想定する。BluetoothおよびWiFi Directは、搬送媒体として高周波数帯域の電波を使用して近距離間の無線通信を行う。また、BluetoothおよびWiFi Directで通信する場合、アクセスポイントは不要である。従って、１台または複数台の表示システム５と直接にペアリングして接続することで、接続先との間で種々のデータを送受信することができる。尚、搬送媒体は電波には限定されず、赤外線等を搬送媒体とする光通信も想定できる。本実施形態１では、近距離通信部１５を介した通信により、表示システム５間でステータス情報や画像ファイルの転送を行う。
接近検出部２２は、他の表示システム５、例えば、表示システム５Ｂが表示システム５Ａ方向に移動する場合の接近を検出する。本実施形態１では、接近検出部２２は、他の表示システム５の接近に加えて、投写板２１０の端部同士の接触も検出できるように構成されている。尚、接近検出部２２が検出する接近は、それぞれの投写板２１０の投写面が同一側であり、表示システム５がユーザーにより押されて移動する態様を想定する。
また、表示システム５同士の接触は、例えば、投写板２１０Ａの右端部と投写板２１０Ｂの左端部とが実際に接する態様、または所定の距離以内に接近した態様を想定する。尚、本実施形態１では、撮像部４５による接近検出を想定するが、これには限定されず、近赤外線レーザーを使った距離センサーや近接センサー等で接近を検出しても良い。接近検出部２２が接近を検出した場合、接近情報をモード判定部２０に送る。
【００２５】
位置検出部２４は、接近または接触した隣接の表示システム５Ｂとの位置関係を検出する。本実施形態１では、撮像部４５による位置検出を想定し、例えば、表示システム５Ｂは表示システム５Ａの投写板２１０Ａに向かって左右の何れに配置されているか、を示す位置情報を検出し、検出した位置情報をモード判定部２０に送る。尚、位置情報は隣接の表示システム５Ｂと共有され、後述する主従関係を決定する際に参照される。
尚、隣り合う表示システム５の識別方法は、例えば、撮像部４５が撮像可能な表示システム５の場所に自身を識別可能な情報を記載したＱＲコード（登録商標）を貼付し、ＱＲコードを読み取ることで表示システム５を識別しても良い。また、撮像部４５による位置検出には限定されず、指向性が強い電波の送受信による方向検出や、特定の光信号の発光検知による方法を採用した位置検出や識別も想定できる。
モード判定部２０は、接近検出部２２から送られる接近情報や、位置検出部２４から送られる位置情報に基づいて、表示システム５Ａと表示システム５Ｂとの主従関係を決定する。本実施形態では、主従関係を示すモードとして、一方をマスターとし、他方をスレーブとし、表示システム５は何れかに遷移する。
主従関係の決定方法は、例えば、所定の距離内に接近した２台の表示システム５Ａ，５Ｂにおいて、投写板２１０に向かって左右一方の側（左側または右側）にある表示システム５をマスターとし、他方の側（右側または左側）をスレーブとしても良い。また、Bluetoothにおいて設定されたマスターとスレーブの関係を継承しても良く、WiFi Directにおいて設定されたグループオーナーをマスターとし、他をスレーブとしても良い。また、２台の表示システム５Ａ，５Ｂにおいて、移動して接近する一方をスレーブとし、他方をマスターとしても良い。更に、ユーザーがマスターまたはスレーブを指示する態様も想定できる。
【００２６】
尚、設定されたモードは、新しい表示システム５が更に接触した場合や、主従関係の再構築が要求された場合、主従関係がリセットされるように構成されている。
また、モード判定部２０は、画像入力部１０に入力された画像データを保持し、主従関係やモードに応じて画像データの送り先を決定する。
最初に、自身がマスターである場合、マスターモードとして以下のような処理を行う。
（１）接近検出部２２が他の表示システム５の接近を検出しない場合には、画像入力部１０に入力された画像データをそのまま投写すべく、保持している画像データを編集することなく画像処理部４０に送る。
（２）接近検出部２２が表示システム５Ｂの接近を検出した場合には、位置検出部２４が自身と表示システム５Ｂとの位置関係を把握し、表示システム５Ｂとの接触を更に検出した場合には、現在表示している画像データを投写画像生成部３０に送ると共に、表示システム５Ｂを含む複数台で連携して表示する仕様を示す連携表示情報を投写画像生成部３０に送る。
尚、投写画像生成部３０に送る画像データは、マスターである自身が表示している画像には限定されない。即ち、モード判定部２０がマスターで表示している画像、およびスレーブで表示している画像の何れかを決定し、決定した画像データを取得して投写画像生成部３０に送る態様も想定できる。また、マスターおよびスレーブの何れもが画像を表示していない場合、ユーザーに指定された画像を対象とする態様も想定できる。
【００２７】
連携表示情報は、例えば、拡大して分割した画像を連携して表示すること（以降、拡大表示モードと呼ぶ）を示すモード情報、分割数および複数の表示システム５の位置関係を示す。尚、自身と接触する表示システム５は、１台には限定されず、２台以上の場合も想定できる。
続いて、自身がスレーブである場合、スレーブモードとして画像入力部１０に入力された画像データをそのまま投写すべく、保持している画像データを加工することなく画像処理部４０に送る。
投写画像生成部３０は、画像編集部３２および画像ファイル生成部３４を備える。
画像編集部３２は、連携表示情報に基づいて画像データを編集する。例えば、拡大表示モードで画像データを２分割する場合、画像編集部３２は、画像データによるイメージ画像を２つの投写板２１０Ａ、２１０Ｂに跨り、拡大して表示すべく画像データを編集し、編集した画像データを画像ファイル生成部３４に送る。尚、拡大する場合の拡大率は、イメージ画像が欠けることなく２つの投写板２１０Ａ、２１０Ｂに表示できるように適切に決定される。尚、拡大率は、ユーザーが操作部２３０を操作して設定することもできる。
【００２８】
画像ファイル生成部３４は、編集された画像データに基づいて、例えば、ＰＤＦ形式のような所定のファイル形式の画像データをそれぞれ生成する。投写画像生成部３０は、生成した２つの画像データの中で、自身が投写する画像データを画像処理部４０に送り、表示システム５Ｂで投写する画像データを近距離通信部１５による通信を介して表示システム５Ｂのプロジェクター１００Ｂに送る。
尚、本実施形態１では、表示システム５Ａから表示システム５Ｂへの画像データの転送は近距離通信部１５には限定されず、ネットワーク通信部１４を介した態様も想定できる。
画像処理部４０は、モード判定部２０または投写画像生成部３０から送られる画像データに対して画像処理を施し、投写部５０で投写可能な画像信号を生成し、画像信号を投写部５０に送る。
【００２９】
本実施形態１では、画像処理部４０は、入力した画像データに基づいて、リサイズ処理を行うと共に、Ｒ（赤）、Ｇ（緑）およびＢ（青）の各階調を所定長さの輝度値で表した画像信号および輝度信号を生成する。更に、画像処理部４０は、輝度信号に基づいて特徴量を算出し、算出した特徴量から算出される伸張係数に基づいて画像信号が伸張処理され、伸張処理された画像信号は投写部５０の液晶装置８５Ｒ，８５Ｇ，８５Ｂ（図３）にそれぞれ送られる。
図３は投写部５０の光学系を模式的に示す図であり、この図３を参照して光学系の概略構成を説明する。
投写部５０の光学系は光学ユニット５１に構成されている。光学ユニット５１は、光学部品用筐体５２、光源装置５５、照明光学装置６０、色分離光学装置６５、リレー光学装置７０、光変調装置８０および投写光学装置９０を備えている。これらの各装置を構成する光学部品は光学部品用筐体５２に収納されている。
【００３０】
光源装置５５は、光束を射出する発光管５６およびリフレクター５７を備えている。光源装置５５は、発光管５６から射出された光束をリフレクター５７で反射させて射出方向を揃え、照明光学装置６０に向けて射出する。尚、照明光軸ＯＣは、光源装置５５から被照明領域側に射出される光束の中心軸である。
照明光学装置６０はレンズアレイ６１，６２、偏光変換素子６３、重畳レンズ６４およびフィールドレンズ６９を備え、光源装置５５から射出された光束に対し、照明光軸ＯＣと直交する面内での照度を均一化する機能を有する。
色分離光学装置６５はダイクロイックミラー６６，６７や反射ミラー６８を備え、照明光学装置６０から射出された光束を、赤色（Ｒ）光、緑色（Ｇ）光、青色（Ｂ）光の３色の色光に分離して３つの液晶装置８５Ｒ，８５Ｇ，８５Ｂに導光する。
リレー光学装置７０は入射側レンズ７２、リレーレンズ７６および反射ミラー７４，７８を備える。このリレー光学装置７０は、色分離光学装置６５で分離された色光（本実施形態１ではＲ光）に対し、光路の長さが他の色光の光路の長さよりも長くなるため、光の発散などによる光の利用効率の低下を防止し、液晶装置８５（本実施形態１では液晶装置８５Ｒ）まで導く。
【００３１】
光変調装置８０は、３つの入射側偏光板８４、３つの液晶装置８５Ｒ，８５Ｇ，８５Ｂ、３つの射出側偏光板８６およびクロスダイクロイックプリズム８８を備える。液晶装置８５Ｒ，８５Ｇ，８５Ｂは、色分離光学装置６５で分離された各色光を画像信号に応じて変調する。クロスダイクロイックプリズム８８は、液晶装置８５Ｒ，８５Ｇ，８５Ｂにより変調された各色光を合成し、投写光学装置９０側に射出する。
投写光学装置９０は、超短焦点の投写レンズ９２および曲面を有する反射ミラー９４を備え、光変調装置８０で変調され合成された光束を、投写レンズ９２で拡大し、反射ミラー９４で反射してホワイトボード２００の投写板２１０に拡大投写することにより、画像信号に基づく投写画像Ｐが投写板２１０に表示される。
図４は、表示システム５Ａの処理の流れを示すフローチャートである。処理が開始されると、表示システム５Ａは近傍の表示システム５の探索を開始する（ステップＳ３００）＜接近検出ステップ＞。
【００３２】
探索の結果、表示システム５Ａが新規の表示システム５Ｂの接近を検出した場合（ステップＳ３０２でＹｅｓ）、表示システム５Ｂとの間で主従関係が構築されているか、否かを判定し（ステップＳ３０６）、表示システム５Ｂとの間で主従関係が構築されていないと判定された場合（ステップＳ３０６でＮｏ）、ステップＳ３１４に進む。
ここで、ステップＳ３０２に戻り、表示システム５Ａが新規の表示システム５Ｂの接近を検出しない場合（ステップＳ３０２でＮｏ）、表示システム５Ａは主従関係の再構築要求を受け付けたか、否かを判定する（ステップＳ３０４）。その結果、主従関係の再構築要求を受け付けていないと判定した場合（ステップＳ３０４でＮｏ）、ステップＳ３００に戻る。他方で、主従関係の再構築要求を受け付けたと判定した場合（ステップＳ３０４でＹｅｓ）、ステップＳ３１０に進む。
【００３３】
また、ステップＳ３０６において、表示システム５Ｂとの間で主従関係が構築されていると判定された場合（ステップＳ３０６でＹｅｓ）、表示システム５Ａは表示システム５Ｂに対して主従関係の再構築を要求し（ステップＳ３０８）、ステップＳ３１０に進む。
ステップＳ３１０では、表示システム５Ａは主従関係をリセットし、プロジェクター１００Ａが表示する投写画像Ｐをリセットし（ステップＳ３１２）、ステップＳ３１４に進む。
ステップＳ３１４では、表示システム５Ａは、新規の表示システム５Ｂを含む主従関係を構築する。
主従関係を構築した結果、表示システム５Ａがマスターになった場合（ステップＳ３１６でＹｅｓ）、マスター処理を実行し（ステップＳ３２０）、ステップＳ３００に戻り一連の処理を繰り返す。
【００３４】
他方で、表示システム５Ａがスレーブになった場合（ステップＳ３１６でＮｏ）、スレーブ処理を実行し（ステップＳ３５０）、ステップＳ３００に戻り一連の処理を繰り返す。
尚、一連の処理はユーザーが表示システム５Ａの電源を切るか、または終了が指示されるまで継続される。
図５は、拡大表示モードが指示されたマスター処理（ステップＳ３２０）とスレーブ処理（ステップＳ３５０）の流れを説明するフローチャートであり、表示システム５の位置関係を示す図６も参照して説明する。尚、処理の理解を容易にすべく、マスターとして表示システム５Ａを想定し、スレーブとして表示システム５Ｂおよび表示システム５Ｃを想定して説明する。
【００３５】
最初に、表示システム５Ａは、接近している表示システム５Ｂに対してステータス情報要求を送信する（ステップＳ３２２）。尚、図６（ａ）に示すように、表示システム５Ａは投写画像Ｐ１を表示した状態であり、表示システム５Ｂは電源が投入されて駆動した状態であるが投写画像は表示していない状態である。
次に、表示システム５Ｂは、ステータス情報要求を受信し（ステップＳ３５２）、自身の状態や属性等に関するステータス情報を取得し（ステップＳ３５４）、ステータス情報を表示システム５Ａに送信する（ステップＳ３５６）。
次に、表示システム５Ａは、表示システム５Ｂのステータス情報を受信し（ステップＳ３２４）、接近している表示システム５Ｂに関する情報を取得する。
【００３６】
次に、表示システム５Ａは、表示システム５Ｂとの位置関係を検出し（ステップＳ３２６）、投写画像Ｐ１に向かって右側から接近しているか、または、左側から接近しているかを検出する。尚、本実施形態１では、図６（ａ）に示すように、表示システム５Ｂは表示システム５Ａの右側から接近する態様を想定する。
次に、表示システム５Ａは、表示システム５Ｂと投写板２１０Ａ，２１０Ｂ同士が接触したか、否かを判定し（ステップＳ３２８）、接触を検出しない場合（ステップＳ３２８でＮｏ）、ステップＳ３２６に戻る。
他方で、図６（ｂ）に示すように、表示システム５Ｂの投写板２１０Ｂの一方の側（左側）との接触を検出した場合（ステップＳ３２８でＹｅｓ）、表示システム５Ａは、表示している投写画像Ｐ１を編集し、画像を拡大すると共に、表示システム５Ａと表示システム５Ｂとで分割表示すべく画像を分割する（ステップＳ３３０）。
次に、表示システム５Ａは、分割した画像に基づいて画像ファイルを生成し（ステップＳ３３２）、表示システム５Ｂにおいて表示する画像の画像ファイルを表示システム５Ｂに送信する（ステップＳ３３４）。
次に、表示システム５Ａは、表示システム５Ａ自身が表示する画像ファイルに基づいて、画像を表示する（ステップＳ３３６）。
【００３７】
また、表示システム５Ｂは、送信された画像ファイルを受信し（ステップＳ３５８）、受信した画像ファイルに基づいて、画像を表示する（ステップＳ３６０）。
以上の処理により、表示システム５Ａおよび表示システム５Ｂは、図６（ｂ）に示すように、投写板２１０同士が接触することで、分割した画像をそれぞれの投写板２１０に表示して分割表示を開始し、投写画像Ｐ１を拡大した投写画像Ｐ２が形成され、一連の処理が終了する。
尚、本実施形態１では、図６（ａ）で示すように、表示システム５Ａが投写画像Ｐ１を表示する場合における投写板２１０の左右方向の投写範囲と、図６（ｂ）に示すように、表示システム５Ａが投写画像Ｐ２を分割して表示する場合における投写板２１０の左右方向の投写範囲は異なる態様を想定する。
【００３８】
この場合、表示システム５Ａにおいて、分割して表示する場合における投写板２１０Ａの隣接する方向（右方向）の空白域は狭くなり、同様に、表示システム５Ｂにおいて、分割して表示する場合における投写板２１０Ｂの隣接する方向（左方向）の空白域も狭くなる。つまり、分割して表示する場合には、投写範囲が左右方向に拡大する。この結果、投写板２１０Ａ，２１０Ｂにおけるつなぎ目が連続的になり、投写画像Ｐ２の視認性が向上する。
また、表示システム５Ａおよび表示システム５Ｂが分割表示を行っている場合、図６（ｃ）に示すように、表示システム５Ｃが表示システム５Ｂの他方側（右側）から接近する態様も想定できる。
このような場合、表示システム５Ａと表示システム５Ｂとの主従関係がリセットされ、表示システム５Ａ、表示システム５Ｂおよび表示システム５Ｃで主従関係が再構築される。そして、図６（ｄ）に示すように、表示システム５Ａと接触している表示システム５Ｂが表示システム５Ｃと更に接触した場合、３台で分割表示すべく画像ファイルがそれぞれ生成され、投写画像Ｐ１を拡大した投写画像Ｐ４が３枚の投写板２１０に亘って形成される。
【００３９】
この場合、スレーブである表示システム５Ｃに表示されている投写画像Ｐ４は消去されるが、投写画像Ｐ４にペン等による書き込みを含む場合、投写画像Ｐ４の画像データは表示システム５Ｃに復元可能に記憶されても良い。
尚、図６（ｄ）では、表示システム５Ａがマスターになった場合を例示しているが、表示システム５Ｃがマスターになった場合は、投写画像Ｐ１に代わって投写画像Ｐ３が拡大表示される対象となる。
また、本実施形態１では、接触している表示システム５が所定の距離を越えて離間した場合、主従関係はリセットされて拡大表示モードは解除され、分割表示は終了する。それぞれの表示システム５は接触前に表示していた表示態様に戻る。
【００４０】
以上述べた実施形態によれば、以下のような効果を奏する。
（１）複数の表示システム５を投写板２１０が連続するように接触させて並べることで、複数の表示システム５が連携し、１つの画像を複数の投写板２１０に拡大して表示させることができるため、画像の拡大表示を容易に実現できる。
（２）複数の表示システム５が連携して表示している場合、表示システム５を更に追加することで、画像の更なる拡大を容易に実現できる。また、連携した複数の表示システム５から端部の表示システム５を離れる方向に移動させることで、表示する画像を容易に縮小させることができる。
【００４１】
（実施形態２）
次に、本発明の実施形態２について、図７および図８を参照して説明する。尚、以下の説明では、既に説明した部分と同じ機能部および処理については、同一符号を付してその説明を省略する。実施形態１では、連携表示情報として、拡大した画像を複数の表示システム５で連携して表示する拡大表示モードを想定したが、本実施形態２では、マスターが表示している画像をスレーブに複写（コピー）して表示させる複写表示モードを想定する。
尚、モード判定部２０は、拡大表示モードおよび複写表示モードの何れかを選択する選択部として機能し、ユーザーは図示を略した選択画面を呼び出し、操作部２３０を介して選択する態様を想定する。また、複写処理を行う前に、マスターおよびスレーブがそれぞれ画像を表示している場合、選択画面を表示し、何れの画像を他方に複写するかをユーザーに選択させても良い。
また、投写板２１０Ａに対してペン等による書き込みが有る場合には複写表示モードが選択され、書き込みが無い場合には拡大表示モードが選択される態様も想定できる。
また、複写表示モードは、マスターで表示している画像はそのまま維持し、スレーブに複写する態様には限定されず、スレーブへの複写後、マスターで表示している画像を消去する態様、即ち、画像の移動も含まれる。また、複写表示モード実行時に、スレーブで表示されている画像は継続して表示され、マスターの画像が上書きされる態様、即ち、画像の合成も想定できる。
【００４２】
更に、スレーブにおいてマスターから送られた画像と、スレーブで表示していた画像とが合成され、合成された画像がマスターに転送されて表示されても良い。このような態様は、表示システム５の操作部２３０を介して選択メニューを投写板２１０に表示し、ユーザーが選択しても良い。
本実施形態２において、画像編集部３２は、複写表示モードが指示された場合、投写板２１０Ａに表示されているコンテンツの画像データをボード画像取得部１２から取得し、画像ファイル生成部３４に送る。
図７は、複写表示モードが指示されたマスター処理（ステップＳ３２０）とスレーブ処理（ステップＳ３５０）の流れを説明するフローチャートであり、表示システム５の位置関係を示す図８も参照して説明する。尚、処理の理解を容易にすべく、マスターとして表示システム５Ａを想定し、スレーブとして表示システム５Ｂを想定して説明する。
図７のステップＳ３４０においては、図８（ｂ）に示すように表示システム５Ａ，５Ｂ同士が接触した状態である。この状態において、表示システム５Ａは、投写板２１０Ａに表示されている画像を取得する。次に、表示システム５Ａは表示システム５Ｂで表示する画像ファイルを生成し（ステップＳ３４２）、作成した画像ファイルを表示システム５Ｂに送信する（ステップＳ３４４）。
【００４３】
表示システム５Ｂは、送信された画像ファイルを受信し（ステップＳ３５８）、受信した画像ファイルに基づいて、画像を表示する（ステップＳ３６０）。
以上の処理により、表示システム５Ａは、この処理が実行されるまでに表示していた投写画像Ｐ１を継続して表示し、表示システム５Ｂは、表示システム５Ａの投写画像Ｐ１と同一の投写画像Ｐ１を表示する。
尚、図８（ｃ）に示すように、表示システム５Ｂは、表示システム５Ａとの接触状態が解除されて離間する場合であっても、投写画像Ｐ１の表示を継続し、ユーザーが表示システム５Ｂの操作部２３０を操作して表示の終了を指示した場合、表示システム５Ｂは投写画像Ｐ１の表示を終了する。
【００４４】
以上述べた実施形態によれば、以下のような効果を奏する。
（１）複数の表示システム５の投写板２１０同士を接触させることで、１台の表示システム５Ａに表示されている画像を、容易に複数の他の表示システム５に複写し、表示させることができるため、画像の複写表示を容易に実現できる。
【００４５】
（実施形態３）
次に、本発明の実施形態３について、図９を参照して説明する。実施形態１および実施形態２では、拡大表示モードまたは複写表示モードの選択は、表示システム５Ａの操作部２３０を介してユーザーが設定する態様を想定したが、本実施形態３では、表示システム５の動きに応じてモード判定部２０が選択する態様を想定する。
例えば、複数の表示システム５が接触し、所定時間を経過することなく接触状態が解除されて離間する場合、モード判定部２０は複写表示モードを選択する。また、所定時間が経過しても接触状態が維持されている場合、モード判定部２０は拡大表示モードを選択する。
図９は、マスター処理（ステップＳ３２０）とスレーブ処理（ステップＳ３５０）の流れを説明するフローチャートである。尚、処理の理解を容易にすべく、マスターとして表示システム５Ａを想定し、スレーブとして表示システム５Ｂを想定して説明する。
【００４６】
図９のステップＳ３２９において、表示システム５Ａは表示システム５Ｂと投写板２１０同士が接触した状態が所定時間継続したか、否かを判定する。
ここで、表示システム５Ｂとの接触状態が所定時間継続した場合（ステップＳ３２９でＹｅｓ）、拡大表示モードが実行される。即ち、表示システム５Ａは、表示している投写画像Ｐ１を編集し、画像を拡大すると共に、表示システム５Ａと表示システム５Ｂとで分割表示すべく画像を分割する（ステップＳ３３０）。
次に、表示システム５Ａは、分割した画像に基づいて画像ファイルを生成し（ステップＳ３３２）、ステップＳ３３４に進む。
他方で、表示システム５Ｂとの接触状態が所定時間継続せずに分離した場合（ステップＳ３２９でＮｏ）、複写表示モードが実行される。即ち、表示システム５Ａは、投写板２１０Ａに表示されている画像を取得する（ステップＳ３４０）＜複写ステップ＞。次に、表示システム５Ａは、表示システム５Ｂで表示する画像ファイルを生成し（ステップＳ３４２）、ステップＳ３３４に進む。
【００４７】
ステップＳ３３４では、表示システム５Ａは、作成した画像ファイルを表示システム５Ｂに送信する（ステップＳ３４４）。
次に、表示システム５Ａは、画像を分割した拡大表示モードを実行したか、否かを判定し（ステップＳ３３５）、複写表示モードを実行した場合（ステップＳ３３５でＮｏ）、表示システム５Ａは投写画像Ｐ１を表示する状態を維持する。
他方で、拡大表示モードを実行した場合（ステップＳ３３５でＹｅｓ）、表示システム５Ａは、自身が表示する画像ファイルに基づいて、画像を表示する（ステップＳ３３６）。
また、表示システム５Ｂは、送信された画像ファイルを受信し（ステップＳ３５８）、受信した画像ファイルに基づいて、画像を表示する（ステップＳ３６０）。
【００４８】
以上述べた実施形態によれば、以下のような効果を奏する。
（１）表示システム５Ａは、表示システム５Ｂとの接触および離間状態に応じて、表示システム５Ａが表示している画像を拡大し、表示システム５Ａおよび表示システム５Ｂの複数の投写板２１０に連携して表示させたり、表示システム５Ａが表示している画像と同一の画像を表示システム５Ｂに複写して表示させたりできる。
本発明の実施形態１〜実施形態３について、図面を参照して説明したが、具体的な構成は、これらの実施形態に限られるものではなく、本発明の要旨を逸脱しない範囲の設計変更等も含まれる。例えば、拡大表示モードおよび複写表示モードの何れかを選択する場合、操作部２３０を介してユーザーが選択する態様に替えて、ユーザーの手指や体の動作（ジェスチャー）を撮像部４５が撮影し、撮影したユーザーの動作に基づいて選択しても良い。
また、マスターとなった表示システム５Ａが、マスターおよびスレーブで表示する画像に対応する画像ファイルを生成する態様には限定されない。例えば、クラウドサービスを提供するサーバー１８が、それぞれの表示システム５で表示する画像ファイルを生成し、各ネットワーク通信部１４に送信する態様も想定できる。
また、マスターは、マスターおよびスレーブで分割して表示する画像に対応した画像ファイルを生成せず、分割前の画像ファイルと、各スレーブで投写する領域情報とを各スレーブに送信し、各スレーブが表示すべき領域を領域情報に基づいて算出して表示する態様も想定できる。
【００４９】
また、上記実施形態では、３つの液晶ライトバルブを用いた３板式のプロジェクターについて説明したが、これに限定されない。例えば、１つの液晶ライトバルブでＲ光、Ｇ光、Ｂ光を変調可能な単板式のプロジェクターに適用することも可能である。
また、上記実施形態では、光変調装置８０として、透過型の液晶ライトバルブを用いているが、反射型の液晶ライトバルブ等、反射型の光変調装置を用いることも可能である。また、入射した光の射出方向をマイクロミラー毎に制御することにより、光源から射出した光を変調する微小ミラーアレイデバイス等を用いることもできる。
また、上記実施形態では、光源は、放電型の光源ランプを備えて構成されているが、ＬＥＤ（Light Emitting Diode：発光ダイオード）や半導体レーザー等の固体光源や、その他の光源を用いることもできる。
【００５０】
また、以上のような手法を実施する装置は、単独の装置によって実現される場合もあれば、複数の装置を組み合わせることによって実現される場合もあり、各種の態様を含むものである。
各実施形態における各構成およびそれらの組み合わせは一例であり、本発明の趣旨から逸脱しない範囲内で、構成の付加、省略、置換およびその他の変更が可能である。また、本発明は実施形態では限定されるものではなく、クレームの範囲によってのみ限定される。
【符号の説明】
【００５１】
５…表示システム、５Ａ…表示システム、５Ｂ…表示システム、５Ｃ…表示システム、１０…画像入力部、１２…ボード画像取得部、１３…記憶素子読み取り部、１４…ネットワーク通信部、１５…近距離通信部、１６…メモリーカード、１７…ネットワーク、１８…サーバー、２０…モード判定部、２２…接近検出部、２４…位置検出部、３０…投写画像生成部、３２…画像編集部、３４…画像ファイル生成部、４０…画像処理部、４５…撮像部、５０…投写部、５１…光学ユニット、５２…光学部品用筐体、５５…光源装置、５６…発光管、５７…リフレクター、６０…照明光学装置、６１，６２…レンズアレイ、６３…偏光変換素子、６４…重畳レンズ、６５…色分離光学装置、６６，６７…ダイクロイックミラー、６８…反射ミラー、６９…フィールドレンズ、７０…リレー光学装置、７２…入射側レンズ、７４，７８…反射ミラー、７６…リレーレンズ、８０…光変調装置、８４…入射側偏光板、８５…液晶装置、８５Ｒ，８５Ｇ，８５Ｂ…液晶装置、８６…射出側偏光板、８８…クロスダイクロイックプリズム、９０…投写光学装置、９２…投写レンズ、９４…反射ミラー、１００…プロジェクター、１００Ａ…プロジェクター、１００Ｂ…プロジェクター、２００…ホワイトボード、２１０…投写板、２１０Ａ…投写板、２１０Ｂ…投写板、２２０…脚部、２３０…操作部、２４０…キャスター、３００…支持具。
【図１】
2015060086.tif 000003
【図２】
2015060086.tif 000004
【図３】
2015060086.tif 000005
【図４】
2015060086.tif 000006
【図５】
2015060086.tif 000007
【図６】
2015060086.tif 000008
【図７】
2015060086.tif 000009
【図８】
2015060086.tif 000010
【図９】
2015060086.tif 000011